(57)【要約】      （修正有）【課題】アンテナの感度を確保でき、かつアンテナに影響を与えずに指針軸を自由に設置できる時計を提供する。【解決手段】アンテナ１２と、このアンテナ１２の上方に所定の隙間Ｓをもって配置された保持部材３０と、アンテナ１２の上方に対応した状態で保持部材３０に回転可能に保持された第１指針軸２６と、この第１指針軸２６に取り付けられた第１小針２３と、を備え、第１指針軸２６に第１小針２３を取り付ける際の取付力は、保持部材３０が撓み変形する変形力と同じか、それよりも小さく設定されている。従って、アンテナ１２に加工を施す必要がないので、アンテナ１２の感度を確保することができると共に、アンテナ１２に影響を与えずに第１指針軸２６を自由に設置することができるので、デザイン性を向上させることができる。【選択図】図３
2018132352.tif 000002
【特許請求の範囲】
【請求項１】
アンテナと、
前記アンテナの上方に所定の隙間をもって配置された保持部材と、
前記アンテナの上方に対応した状態で前記保持部材に回転可能に保持された指針軸と、
前記指針軸に取り付けられた指針と、
を備えることを特徴とする時計。
【請求項２】
請求項１に記載の時計において、前記指針に設けられた取付孔と、前記取付孔に圧入によって取り付けられる前記指針軸の端部とは、その両方が互いに接触する接触面積が小さく形成されていることを特徴とする時計。
【請求項３】
請求項２に記載の時計において、前記指針が取り付けられる前記指針軸の前記端部は、その外径が小さい細い形状に形成され、前記指針の前記取付孔は、その内径が前記指針軸の前記端部の外径とほぼ同じ大きさで形成されていることを特徴とする時計。
【請求項４】
請求項１〜請求項３のいずれかに記載の時計において、前記保持部材は、前記指針軸に前記指針を取り付ける際に前記所定の隙間の範囲内において撓み変形が可能な状態で形成されていることを特徴とする時計。
【請求項５】
請求項１〜請求項４のいずれかに記載の時計において、前記アンテナと前記保持部材との間に緩衝部材が配置されていることを特徴とする時計。
【請求項６】
請求項１〜請求項５のいずれかに記載の時計において、複数の指針軸を備え、前記複数の指針軸のうち、いずれかの指針軸は、前記アンテナの上方に配置される副表示部の指針軸であり、前記副表示部の前記指針軸に取り付けられる前記指針は、前記副表示部の小針であることを特徴とする時計。
【発明の詳細な説明】
【技術分野】
【０００１】
この発明は、腕時計などの時計に関する。
【背景技術】
【０００２】
例えば、腕時計においては、特許文献１に記載されているように、ＧＰＳ（Global Positioning System）用のアンテナを備えたものが知られている。この種の腕時計は、アンテナの受信感度を高めるために、アンテナのサイズが大きくなっている。
【先行技術文献】
【特許文献】
【０００３】
【特許文献１】特開２０１２−９３２１０号公報
【発明の概要】
【発明が解決しようとする課題】
【０００４】
このような腕時計では、アンテナにその厚み方向に指針軸が重なる場合、アンテナに貫通孔を設け、この貫通孔に指針軸を設けているが、アンテナに貫通孔を設けると、アンテナの受信感度が低下する恐れがあるほか、加工性および組立性が悪くなるという問題が生じる。
【０００５】
そこで、このような問題を解消するため、アンテナを避けた位置に指針軸を設けることが考えられているが、このような構造では、アンテナによって指針軸の設置位置が制約されるため、デザイン性が乏しくなるという問題が生じる。
【０００６】
この発明が解決しようとする課題は、アンテナの感度を確保でき、かつアンテナに影響を与えずに指針軸を自由に設置できる時計を提供することである。
【課題を解決するための手段】
【０００７】
この発明は、アンテナと、前記アンテナの上方に所定の隙間をもって配置された保持部材と、前記アンテナの上方に対応した状態で前記保持部材に回転可能に保持された指針軸と、前記指針軸に取り付けられた指針と、を備えることを特徴とする時計である。
【発明の効果】
【０００８】
この発明によれば、アンテナに加工を施す必要がないので、アンテナの感度を確保することができると共に、アンテナに影響を与えずに指針軸を自由に設置することができるので、デザイン性を向上させることができる。
【図面の簡単な説明】
【０００９】
【図１】この発明を腕時計に適用した一実施形態を示した拡大正面図である。
【図２】図１に示された腕時計のＡ−Ａ矢視における拡大断面図である。
【図３】図２に示された時計モジュールの要部を示した拡大断面図である。
【図４】図３に示された指針軸および指針を示した要部の拡大断面図である。
【発明を実施するための形態】
【００１０】
以下、図１〜図４を参照して、この発明を腕時計に適用した一実施形態について説明する。
この腕時計は、図１および図２に示すように、腕時計ケース１を備えている。この腕時計ケース１の上部開口部には、時計ガラス２がパッキン２ａを介して装着されている。また、この腕時計ケース１の下部には、裏蓋３が取り付けられている。
【００１１】
この腕時計ケース１の１２時側と６時側とに位置する外側面には、図１および図２に示すように、バンド取付部４がそれぞれ設けられている。さらに、この腕時計ケース１の３時側に位置する側面には、竜頭などのスイッチ操作部５が設けられており、この腕時計ケース１の２時側、４時側、８時側に位置する各側面には、それぞれ押釦スイッチ６が設けられている。
【００１２】
また、この腕時計ケース１の内部には、図２に示すように、時計モジュール７が組み込まれている。この時計モジュール７の上側には、文字板８がソーラーパネル９を介して配置されている。この文字板８の上側における外周部には、リング状の見切り部材１０が設けられている。
【００１３】
時計モジュール７は、図２に示すように、時計ムーブメント１１、アンテナ１２、回路基板１３、釦電池１４、および表示部１５（図１参照）を備えている。時計ムーブメント１１は、図１および図２に示すように、文字板８およびソーラーパネル９の中心部に設けられた貫通孔１６に挿入して文字板８の上方に突出する指針軸１７を備えている。
【００１４】
この指針軸１７の上端部には、図１および図２に示すように、金属材料からなる時針、分針、秒針などの複数の指針１８が取り付けられている。これにより、時計ムーブメント１１は、輪列機構（図示せず）によって指針軸１７を連動させて回転させることにより、複数の指針１８を文字板８の上方で運針させて、時刻を指示表示するように構成されている。
【００１５】
また、この時計ムーブメント１１は、図１および図２に示すように、第１〜第３の副表示部２０〜２２、および日車１９を備えている。この時計ムーブメント１１は、第１の副表示部２０の第１指針である第１小針２３、第２の副表示部２１の２つの第２指針である第２小針２４ａ、２４ｂ、および第３の副表示部２２の１つの第３指針である第３小針２５を、それぞれ文字板８上で運針させると共に、日車１９を文字板８およびソーラーパネル９の下側において文字板８の外周に沿って回転移動させるように構成されている。
【００１６】
この場合、第１の副表示部２０は、図１および図２に示すように、２４時間の時間機能を表示するものであり、金属材料からなる１つの第１指針である第１小針２３が第１指針軸２６に取り付けられて、輪列機構（図示せず）により連動して動作するように構成されている。この第１の副表示部２０は、文字板８の中心部の貫通孔１６と文字板８の１２時側の端部との間に対応する位置に配置されている。
【００１７】
すなわち、この第１の副表示部２０は、図１および図２に示すように、１つの第１小針２３が３６０度回転して２４時間の時間を指示する指示表示領域がほぼ円形状に形成され、その中心部に位置する文字板８およびソーラーパネル９に設けられた第１貫通孔２０ａに第１指針軸２６が挿入された状態で配置されるように構成されている。この場合、指示表示領域は、文字板８に設けられて第１小針２３の長さを半径とする円形穴８ａを備えている。１つの第１小針２３は、文字板８の円形穴８ａの上側に位置して運針するように構成されている。
【００１８】
また、第２の副表示部２１は、図１および図２に示すように、世界の各都市の時刻を表示するワールドタイムを表示するものであり、金属材料からなる２つの第２指針である第２小針２４ａ、２４ｂが第２指針軸２７に取り付けられて、輪列機構（図示せず）により連動して動作するように構成されている。この第２の副表示部２１は、文字板８の中心部の貫通孔１６と文字板８の６時側の端部との間に対応する位置に配置されている。
【００１９】
この第２の副表示部２１は、図１および図２に示すように、２つの第２小針２４ａ、２４ｂが３６０度回転して世界の各都市の時刻を指示表示する指示表示領域が円形状に形成され、その中心部に位置する文字板８およびソーラーパネル９に設けられた第２貫通孔２１ａに第２指針軸２７が挿入された状態で配置されるように構成されている。
【００２０】
この場合、２つの第２小針２４ａ、２４ｂは、図１および図２に示すように、その長さがそれぞれ異なり、第２小針２４ａが第２小針２４ｂよりも長く形成されている。指示表示領域は、文字板８に設けられて長さの長い第２小針２４ａを半径とする円形穴８ｂを備えている。２つの第２小針２４ａ、２４ｂは、文字板８の円形穴８ｂ内に位置して運針するように構成されている。
【００２１】
この場合、時計モジュール７の表示部１５は、図１に示すように、第２の副表示部２１で指示表示された都市時間の都市名などの情報を表示するものであり、文字板８の４時側に位置して設けられている。この表示部１５は、液晶表示パネルやＥＬ（エレクトロルミネッセンス）表示パネルなどの平面型の表示パネルである。
【００２２】
この表示部１５は、図１および図２に示すように、文字板８およびソーラーパネル９に設けられた表示窓部１５ａの下側に対応して配置され、第２の副表示部２１で指示表示された都市時間の都市名などの情報を電気光学的に表示するように構成されている。なお、表示部１５は、日車１９と同様にリング状に形成され、文字板８およびソーラーパネル９の下側において文字板８の外周に沿って回転移動するように構成されていても良い。
【００２３】
さらに、第３の副表示部２２は、図１に示すように、曜日やアラーム、タイマーなどの曜日や機能のモードを表示するものであり、金属材料からなる１つの第３指針である第３小針２５が第３指針軸２８に取り付けられて、輪列機構（図示せず）により連動して動作するように構成されている。この第３の副表示部２２は、文字板８の中心部の貫通孔１６と文字板８の９時側の端部との間に対応する位置に配置されている。
【００２４】
この第３の副表示部２２は、図１に示すように、１つの第３小針２５が３６０度回転して曜日や機能モードのいずれかを指示表示する指示表示領域がほぼ円形状に形成され、その中心部に位置する文字板８およびソーラーパネル９に設けられた第３貫通孔（図示せず）に第３指針軸２８が挿入された状態で配置されるように構成されている。
【００２５】
この場合、指示表示領域は、図１に示すように、文字板８に設けられて第３小針２５の長さを半径とする円形穴８ｃを備え、その周囲におけるほぼ左側半分の領域に曜日が表示され、他のほぼ半分の領域にアラーム、タイマーなどの機能が表示されている。これにより、１つの第３小針２５は、文字板８の円形穴８ｃ内に位置して運針して、曜日やモードのいずれかを選択的に指示するように構成されている。
【００２６】
また、時計ムーブメント１１の日車１９は、図１および図２に示すように、文字板８の外周よりも小さいリング状に形成され、その上面に１〜３１の日付が円周方向に沿って等間隔で表示されている。この日車１９は、１〜３１のいずれか１つの日付が文字板８の４時側に位置して表示部１５と並んで設けられた日表示窓部１９ａに対応し、この日表示窓部１９ａに対応した日付が日表示窓部１９ａを通して上方から見えるように構成されている。
【００２７】
ところで、アンテナ１２は、図１〜図３に示すように、ＧＰＳ用の高周波（例えば、１５７５．４２ＭＨｚ）の電波を受信するパッチアンテナであり、ほぼ四角形状に形成されている。このアンテナ１２は、回路基板１３上に電気的に接続された状態で設けられ、その回路基板１３が時計ムーブメント１１の下側に取り付けられることにより、時計ムーブメント１１の下側に配置されるように構成されている。
【００２８】
これにより、アンテナ１２は、図１および図２に示すように、時計ムーブメント１１の下側に配置された際に、時計モジュール７における１２時付近から１時を経て２時付近に到達する個所に対応した位置で、かつ文字板８の中心部の貫通孔１６と文字板８の１時側附近の端部との間に対応した位置に配置されるように構成されている。
【００２９】
すなわち、このアンテナ１２は、図１に示すように、そのアンテナ領域がほぼ四角形状に形成されていることにより、文字板８の中心部の貫通孔１６側に位置する辺部における両側の各角部１２ａ、１２ｂのうち、１２時側に位置する角部１２ａが第１の副表示部２０の下側に大きく食い込んだ状態で重なるように配置されている。
【００３０】
このため、第１の副表示部２０の第１指針軸２６は、図２および図３に示すように、アンテナ１２の上方に対応した状態で、保持部材３０によって回転可能に保持されるように構成されている。この保持部材３０は、時計ムーブメント１１に組み込まれた地板３１と輪列受け３２とを備え、地板３１がアンテナ１２の上方に非接触状態で配置され、輪列受け３２が地板３１上に配置されるように構成されている。
【００３１】
この場合、第１指針軸２６は、図３および図４に示すように、その下部に歯車３３が設けられ、この歯車３３が時計ムーブメント１１の輪列機構（図示せず）に連動して回転することにより、この歯車３３と共に回転して１つの第１指針である第１小針２３を運針させるように構成されている。また、この第１指針軸２６には、皿ばね３４が歯車３３の上側に位置した状態で設けられている。
【００３２】
すなわち、この第１指針軸２６は、図３に示すように、その下端部２６ａが保持部材３０の地板３１に設けられた軸受け孔３１ａに挿入されて回転可能に保持されるように構成されている。また、この第１指針軸２６は、その上端部２６ｂが保持部材３０の輪列受け３２に設けられた挿入孔３２ａに挿入されると共に、ソーラーパネル９の第１貫通孔２０ａおよび文字板８の円形穴ａを通して文字板８の上方に突出し、この状態で輪列受け３２によって皿ばね３４が弾力に押え付けられるように構成されている。
【００３３】
これにより、この第１指針軸２６は、図３に示すように、その歯車３３と皿ばね３４とが保持部材３０の地板３１と輪列受け３２との間に挟まれて配置された状態で、保持部材３０に回転可能に取り付けられ、この状態で第１指針軸２６の上端部２６ｂに第１指針である第１小針２３が取り付けられるように構成されている。
【００３４】
この場合、第１小針２３は、図３および図４に示すように、第１指針軸２６に取り付けられる際に、保持部材３０の地板３１をアンテナ１２に接触させずに第１指針軸２６に取り付けられるように構成されている。すなわち、第１指針軸２６に第１小針２３を取り付ける際の取付力は、保持部材３０の地板３１が撓み変形する変形力と同じか、それよりも小さく設定されている。
【００３５】
この場合、第１小針２３は、図３および図４に示すように、針本体２３ａの一端部側にハカマと称する取付片２３ｂが設けられ、この取付片２３ｂに取付孔２３ｃが設けられ、この取付片２３ｂの取付孔２３ｃに第１指針軸２６の上端部２６ｂが圧入によって取り付けられるように構成されている。このため、第１小針２３の取付片２３ｂに設けられた取付孔２３ｃと、この取付孔２３ｃに圧入によって取り付けられる第１指針軸２６の上端部２６ｂとは、その両方が互いに接触する接触面積が小さく形成されている。
【００３６】
すなわち、第１小針２３が圧入によって取り付けられる第１指針軸２６の上端部２６ｂは、図４に示すように、その外径Ｒが１．０ｍｍ以下の細い形状に形成されている。また、第１小針２３は、その取付片２３ｂの取付孔２３ｃの内径が第１指針軸２６の上端部２６ｂの外径Ｒとほぼ同じ大きさ、つまり第１指針軸２６の上端部２６ｂと第１小針２３の取付孔２３ｃとの嵌合公差をもって形成されている。
【００３７】
これにより、第１小針２３は、図４に示すように、その取付孔２３ｃに第１指針軸２６の上端部２６ｂが圧入する際の圧入力が小さくなるように形成され、かつ圧入力が小さくても、第１指針軸２６の上端部２６ｂと第１小針２３の取付孔２３ｃとの嵌合公差によって、第１小針２３の取付孔２３ｃに第１指針軸２６の上端部２６ｂが嵌合した際の嵌合力が確保されるように構成されている。
【００３８】
また、保持部材３０の地板３１は、図３に示すように、アンテナ１２の上方に所定の隙間Ｓをもって配置され、第１指針軸２６に第１小針２３を取り付ける際に、その所定の隙間Ｓの範囲内において撓み変形が可能な状態で形成されている。このため、この地板３１は、第１指針軸２６に第１小針２３を取り付ける際に、アンテナ１２に接触することなく、所定の隙間Ｓの範囲内で撓み変形するように、地板３１の厚みが薄く形成されている。
【００３９】
また、このアンテナ１２と地板３１との間の隙間Ｓには、図３に示すように、緩衝部材３５が第１指針軸２６と対応する箇所を除いて配置されている。この緩衝部材３５は、第１指針軸２６に第１小針２３が圧入によって取り付けられる際に、地板３１の撓み変形を抑制すると共に、地板３１をアンテナ１２に接触させずに、アンテナ１２の損傷や破損を防ぐように構成されている。
【００４０】
また、この緩衝部材３５は、図２および図３に示すように、腕時計ケース１が外部から衝撃を受けた際に、その衝撃がアンテナ１２に伝わらないように、衝撃を緩衝して、アンテナ１２の損傷や破損を防ぐと共に、アンテナ１２と回路基板１３との電気的な接続部の破損を防いで、アンテナ１２を衝撃から保護するように構成されている。
【００４１】
次に、この腕時計の作用について説明する。
この腕時計を組み立てる場合には、予め、時計モジュール７の時計ムーブメント１１を組み立てる。このときには、前もって、時計ムーブメント１１の指針軸１７に指針１８を取り付けない。同様に、第１の副表示部２０の第１指針軸２６にも第１小針２３を取り付けず、第２の副表示部２１の第２指針軸２７にも第２小針２４ａ、２４ｂを取り付けず、第３の副表示部２２の第３指針軸２８にも第３小針２８を取り付けない。
【００４２】
この状態で、時計ムーブメント１１にアンテナ１２を取り付ける。この場合には、予め、アンテナ１２を回路基板１３上に電気的に接続させた状態で取り付けると共に、このアテナ１２の上面に緩衝部材３５を配置する。このときには、緩衝部材３５が第１の副表示部２０の第１指針軸２６と対応する箇所を除いてアンテナ１２の上面に配置される。この状態で、回路基板１３を時計ムーブメント１１の下部に取り付けて、アンテナ１２を保持部材３０の地板３１の下側に配置する。
【００４３】
そして、時計ムーブメント１１の上面にソーラーパネル９と文字板８とをその順で配置する。このときには、指針軸１７を文字板８およびソーラーパネル９の中心部に設けられた貫通孔１６に挿入させて文字板８の上方に突出させると共に、第１の副表示部２０の第１指針軸２６を第１の副表示部２０の中心に位置するソーラーパネル９の第１貫通孔２０ａおよび文字板８の円形穴８ａに挿入させて文字板８の上方に突出させる。
【００４４】
同様に、第２の副表示部２１の第２指針軸２７を第２の副表示部２１の中心に位置するソーラーパネル９の第２貫通孔２１ａおよび文字板８の円形穴８ｂに挿入させて文字板８の上方に突出させると共に、第３の副表示部２２の第３指針軸２８を第３の副表示部２２の中心に位置するソーラーパネル９の第３貫通孔（図示せず）および文字板８の円形穴８ｃに挿入させて文字板８の上方に突出させる。
【００４５】
この状態で、時計ムーブメント１１の指針軸１７に時針、分針、秒針などの複数の指針１８を取り付ける共に、第１の副表示部２０の第１指針軸２６に第１指針である第１小針２３を取り付ける。同様に、第２の副表示部２１の第２指針軸２７に第２指針である第２小針２４ａ、２４ｂを取り付けると共に、第３の副表示部２２の第３指針軸２８に第３指針である第３小針２５を取り付ける。
【００４６】
このときには、アンテナ１２の上方に位置する第１の副表示部２０の第１指針軸２６に第１小針２３を取り付ける場合を除いて、時計ムーブメント１１の下側に押え冶具（図示せず）を配置して、指針軸１７に指針１８を取り付けると共に、第２の副表示部２１の第２指針軸２７に第２小針２４ａ、２４ｂを取り付け、第３の副表示部２２の第３指針軸２８に第３小針２５を取り付ける。
【００４７】
一方、アンテナ１２の上方に位置する第１の副表示部２０の第１指針軸２６に第１小針２３を取り付ける場合には、第１指針軸２６の下側にアンテナ１２が配置されているため、押え冶具を用いることができない。このため、第１の副表示部２０の第１指針軸２６に第１小針２３を取り付ける場合には、そのままの状態で第１小針２３を第１指針軸２６に取り付ける。
【００４８】
このときには、第１指針軸２６の下端部２６ａが保持部材３０の地板３１に設けられた軸受け孔３１ａに挿入されて回転可能に保持され、第１指針軸２６の上端部２６ｂが保持部材３０の輪列受け３２に設けられた挿入孔３２ａに挿入されて、ソーラーパネル９の第１貫通孔２０ａおよび文字板８の円形穴８ａを通して文字板８の上方に突出し、この状態で輪列受け３２によって皿ばね３４が弾力に押え付けられる。
【００４９】
このため、第１指針軸２６は、その歯車３３と皿ばね３４とが保持部材３０の地板３１と輪列受け３２との間に挟まれて配置された状態で、保持部材３０に回転可能に取り付けられ、この状態で第１指針軸２６の上端部２６ｂに第１指針である第１小針２３が取り付けられる。この場合、第１小針２３は、第１指針軸２６に取り付けられる際に保持部材３０の地板３１をアンテナ１２に接触させずに第１指針軸２６に取り付けられる。
【００５０】
すなわち、第１指針軸２６に第１小針２３を取り付ける際の取付力は、保持部材３０の地板３１が撓み変形する変形力と同じか、それよりも小さく設定されている。つまり、第１小針２３の取付片２３ｂに設けられた取付孔２３ｃと、この取付孔２３ｃに圧入によって取り付けられる第１指針軸２６の上端部２６ｂとは、その両方が互いに接触する接触面積が小さく形成されている。
【００５１】
すなわち、第１小針２３が圧入によって取り付けられる第１指針軸２６の上端部２６ｂは、その外径Ｒが１．０ｍｍ以下の細い形状に形成されている。また、第１小針２３は、その取付片２３ｂの取付孔２３ｃの内径が第１指針軸２６の上端部２６ｂの外径Ｒとほぼ同じ大きさ、つまり第１指針軸２６の上端部２６ｂと第１小針２３の取付孔２３ｃとの嵌合公差をもって形成されている。
【００５２】
このため、第１指針軸２６に第１小針２３を圧入によって取り付ける際には、その圧入力が小さいため、地板３１の厚みを薄くすることができ、かつ地板３１を薄く形成しても、地板３１がほとんど撓み変形することがなく、第１指針軸２６に第１小針２３が確実にかつ良好に取り付けられる。
【００５３】
この場合、第１小針２３は、針本体２３ａの一端部側に設けられた取付片２３ｂの取付孔２３ｃに第１指針軸２６の上端部２６ｂを圧入させる際に、その圧入力が小さくても、第１指針軸２６の上端部２６ｂと第１小針２３の取付孔２３ｃとが嵌合公差をもって嵌合していることにより、第１小針２３の取付孔２３ｃに対する第１指針軸２６の上端部２６ｂの嵌合力が確保されることにより、第１指針軸２６に第１小針２３が確実にかつ良好に取り付けられる。
【００５４】
このときには、保持部材３０の地板３１がアンテナ１２の上方に所定の隙間Ｓをもって配置され、第１指針軸２６に第１小針２３を取り付ける際に、保持部材３０の地板３１が所定の隙間Ｓの範囲内において撓み変形が可能な状態で形成されている。このため、第１指針軸２６に第１小針２３を圧入によって取り付ける際に、地板３１が撓み変形しても、地板３１が所定の隙間Ｓの範囲内で撓み変形するので、アンテナ１２に地板３１が接触することがない。
【００５５】
また、このときには、地板３１とアンテナ１２との間の所定の隙間Ｓに緩衝部材３５が第１指針軸２６と対応する箇所を除いて配置されている。このため、第１指針軸２６に第１小針２３を取り付ける際には、地板３１の厚みが薄く形成されていても、緩衝部材３５によって地板３１の撓み変形が抑制されると共に、地板３１がアンテナ１２に直接接触しないため、アンテナ１２の損傷や破損を防いで、第１指針軸２６に第１小針２３を取り付けることができる。
【００５６】
この場合、緩衝部材３５は、第１指針軸２６と対応する箇所を除いて配置されていることにより、第１指針軸２６に第１小針２３を圧入によって取り付ける際に、その取付力である圧入力が第１指針軸２６に対応する箇所に集中するのを防いで、第１指針軸２６の周囲に圧入力を分散させることができる。これによっても、地板３１の撓み変形が抑制されると共に、アンテナ１２の損傷や破損を防いで、第１指針軸２６に第１小針２３を取り付けることができる。
【００５７】
これにより、時計モジュール７が組み立てられる。この時計モジュール７を腕時計ケース１内に組み込む。このときには、予め、腕時計ケース１内に見切り部材１０を上方から配置して腕時計ケース１の上部開口部に時計ガラス２をパッキン２ａと共に装着すると共に、腕時計ケース１の２時側、４時側、８時側に位置する各側面に押釦スイッチ６をそれぞれ取り付ける。この状態で、この時計モジュール７を腕時計ケース１内にその下側から組み込む。
【００５８】
そして、腕時計ケース１の３時側の側部に竜頭などのスイッチ操作部５を挿入させて時計モジュール７内に差し込んで取り付ける。この後、時計モジュール７に電池１４を組み付け、腕時計ケース１の下部に裏蓋３を取り付ける。これにより、腕時計が組み立てられる。このように組み立てられた腕時計では、腕時計ケース１が外部から衝撃を受けた際に、その衝撃を緩衝部材３５によって緩衝して、アンテナ１２の損傷や破損を防ぐと共に、アンテナ１２と回路基板１３との電気的な接続部の破損を防いで、アンテナ１２を保護することができる。
【００５９】
このように、この腕時計によれば、アンテナ１２と、このアンテナ１２の上方に所定の隙間Ｓをもって配置された保持部材３０と、アンテナ１２の上方に対応した状態で保持部材３０に回転可能に保持された第１指針軸２６と、この第１指針軸２６に取り付けられた第１小針２３と、を備え、第１指針軸２６に第１小針２３を取り付ける際の取付力は、保持部材３０が撓み変形する変形力と同じか、それよりも小さく設定されていることにより、アンテナ１２の感度を確保でき、かつアンテナ１２に影響を与えずに第１指針軸２６を自由に設置することができる。
【００６０】
すなわち、この腕時計では、第１の副表示部２０の第１指針軸２６を保持する保持部材３０をアンテナ１２の上方に非接触状態で配置させる構造であるから、アンテナ１２に加工を施す必要がないため、アンテナ１２の加工性および組立性が良く、かつアンテナ１２の感度を確保することができると共に、アンテナ１２のより一層の大型化を図ることができる。
【００６１】
また、この腕時計では、第１指針軸２６に第１小針２３を取り付ける際に、その取付力が保持部材３０の撓み変形力と同じか、それよりも小さく設定されているので、保持部材３０をほとんど撓み変形させることがなく、かつ保持部材３０をアンテナ１２に接触させることがなく、第１指針軸２６に第１小針２３を取り付けることができる。このため、アンテナ１２に影響を与えることがなく、第１指針軸２６を自由に設置することができるので、デザイン性の向上を図ることができる。
【００６２】
この場合、第１小針２３の取付片２３ｂに設けられた取付孔２３ｃと、この取付孔２３ｃに圧入によって取り付けられる第１指針軸２６の上端部２６ｂとは、その両方が互いに接触する接触面積が小さく形成されていることにより、第１指針軸２６に第１小針２３を圧入によって取り付ける際の圧入力を小さくすることができるので、保持部材３０をほとんど撓み変形させずに、第１指針軸２６に第１小針２３を良好に取り付けることができる。
【００６３】
すなわち、第１小針２３が取り付けられる第１指針軸２６の上端部２６ｂは、その外径Ｒが１．０ｍｍ以下の小さい細い形状に形成され、第１小針２３は、その取付孔２３ｃの内径が第１指針軸２６の上端部２６ｂの外径Ｒとほぼ同じ大きさで形成されていることにより、第１小針２３の取付孔２３ｃと第１指針軸２６の上端部２６ｂとの接触面積を小さくすることができ、これにより第１指針軸２６に第１小針２３を圧入によって取り付ける際の圧入力を小さくすることができる。
【００６４】
このため、この腕時計では、第１指針軸２６に第１小針２３を圧入によって取り付ける際に、その圧入力を小さくすることができるので、保持部材３０をほとんど撓み変形させずに、第１指針軸２６に第１小針２３を確実にかつ良好に取り付けることができ、これにより保持部材３０がアンテナ１２に接触することがないので、アンテナ１２に影響を与えないようにすることができる。
【００６５】
この場合、第１小針２３は、その取付孔２３ｃの内径が第１指針軸２６の上端部２６ｂの外径Ｒとほぼ同じ大きさで、かつ第１指針軸２６の上端部２６ｂと第１小針２３の取付孔２３ｃとが嵌合公差をもって形成されているので、第１小針２３の取付孔２３ｃに第１指針軸２６の上端部２６ｂを圧入させた際に、その圧入力が小さくても、第１指針軸２６の上端部２６ｂと第１小針２３の取付孔２３ｃとの嵌合公差によって、第１指針軸２６に第１小針２３を確実にかつ良好に取り付けることができる。
【００６６】
すなわち、第１小針２３と第１指針軸２６とは、第１小針２３の取付孔２３ｃに第１指針軸２６の上端部２６ｂを圧入させた際に、その圧入力が小さくても、第１指針軸２６の上端部２６ｂと第１小針２３の取付孔２３ｃとの嵌合公差によって、第１小針２３の取付孔２３ｃに対する第１指針軸２６の上端部２６ｂの嵌合力を確保することができるので、第１指針軸２６に第１小針２３を確実にかつ良好に取り付けることができる。
【００６７】
また、この腕時計では、保持部材３０がアンテナ１２の上方に所定の隙間Ｓをもって配置され、第１指針軸２６に第１小針２３を取り付ける際に、保持部材３０が所定の隙間Ｓの範囲内において撓み変形が可能な状態で形成されていることにより、押え治具（図示せず）を用いずに、第１指針軸２６に第１小針３を取り付ける際に、保持部材３０とアンテナ１２との間の所定の隙間Ｓの範囲内で保持部材３０を撓み変形させることができるので、保持部材３０をアンテナ１２に接触させないようにすることができる。
【００６８】
この場合、保持部材３０は、時計ムーブメントに組み込まれる地板３１と輪列受け３２とを備え、第１指針軸２６の下端部１６ａが地板３１に回転可能に取り付けられ、この地板３１がアンテナ１２の上方に配置されていることにより、保持部材３０の地板３１の厚みを薄く形成して、保持部材３０全体の厚みを薄く形成することができるので、時計モジュール７の厚みを薄くして、腕時計全体の薄型化を図ることができる。
【００６９】
また、この腕時計では、アンテナ１２と保持部材３０との間の隙間Ｓに緩衝部材３５が配置されていることにより、第１指針軸２６に第１小針２３を取り付ける際に、保持部材３０の地板３１の厚みを薄く形成しても、緩衝部材３５によって地板３１の撓み変形を抑制することができるので、アンテナ１２を確実にかつ良好に保護することができる。
【００７０】
このため、この腕時計では、保持部材３０の地板３１がアンテナ１２に直接接触することがないので、地板３１によるアンテナ１２の損傷や破損を確実に防ぐことができると共に、腕時計ケース１が外部から衝撃を受けた際に、その衝撃を緩衝部材３５によって緩衝することができるので、アンテナ１２の損傷や破損を防ぐと共に、アンテナ１２と回路基板１３との電気的な接続部の破損を防いで、アンテナ１２を確実にかつ良好に保護することができる。
【００７１】
この場合、緩衝部材３５は、第１指針軸２６と対応する箇所を除いて配置されていることにより、第１指針軸２６に第１小針２３を圧入によって取り付ける際に、その取付力である圧入力が第１指針軸２６に対応する箇所の緩衝部材３５に集中するのを防いで、圧入力を第１指針軸２６の周囲に位置する緩衝部材３５に分散させることができる。このため、これによっても、地板３１の撓み変形を抑制すると共に、アンテナ１２の損傷や破損を防いで、第１指針軸２６に第１小針２３を良好に取り付けることができる。
【００７２】
さらに、この腕時計では、秒針、分針、時針などの複数の指針１８が取り付けられる指針軸１７、第１小針２３が取り付けられる第１の副表示部２０の第１指針軸２６、第２小針２４ａ、２４ｂが取り付けられる第２の副表示部２１の第２指針軸２７、および第３小針２５が取り付けられる第３の副表示部２２の第３指針軸２８を備え、これら指針軸１７、第１〜第３の指針軸２６〜２８のうち、第１指針軸２６がアンテナ１２の上方に配置された構成であることにより、アンテナ１２に影響を与えることがなく、これら指針軸１７、第１〜第３の指針軸２６〜２８の全てを良好に設置することができる。
【００７３】
なお、上述した実施形態では、第１小針２３が取り付けられる第１の副表示部２０の第１指針軸２６をアンテナ１２の上方に配置させた場合について述べたが、この発明はこれに限らず、例えば、第２小針２４ａ、２４ｂが取り付けられる第２の副表示部２１の第２指針軸２７、または第３小針２５が取り付けられる第３の副表示部２２の第３指針軸２８をアンテナ１２の上方に配置させた構成であっても良い。
【００７４】
また、この発明は、上述した変形例に限らず、秒針、分針、時針などの複数の指針１８が取り付けられる指針軸１７をアンテナ１２の上方に配置させた構成であっても良い。この場合には、指針軸１７の軸方向の長さが、第１の副表示部２０の第１指針軸２６の軸方向の長さとほぼ同じ長さであることが望ましい。
【００７５】
また、上述した実施形態およびその各変形例では、第１小針２３の取付孔２３ｃと第１指針軸２６の上端部２６ｂとの接触面積を小さくして、第１指針軸２６に第１小針２３を取り付ける際の取付力を保持部材３０の撓み変形力と同じか、それよりも小さく設定した場合について述べたが、この発明はこれに限らず、例えば保持部材３０の地板３１の剛性および強度を、第１指針軸２６に第１小針２３を取り付ける際の取付力よりも高めるように構成しても良い。
【００７６】
さらに、上述した実施形態およびその各変形例では、指針式の腕時計に適用した場合について述べたが、この発明は必ずしも指針式の腕時計である必要はなく、例えばトラベルウオッチ、懐中時計、目覚まし時計、置き時計、掛け時計などの各種の指針式の時計に適用することができる。
【００７７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７８】
（付記）
請求項１に記載の発明は、アンテナと、前記アンテナの上方に所定の隙間をもって配置された保持部材と、前記アンテナの上方に対応した状態で前記保持部材に回転可能に保持された指針軸と、前記指針軸に取り付けられた指針と、を備えることを特徴とする時計である。
【００７９】
請求項２に記載の発明は、請求項１に記載の時計において、前記指針に設けられた取付孔と、前記取付孔に圧入によって取り付けられる前記指針軸の端部とは、その両方が互いに接触する接触面積が小さく形成されていることを特徴とする時計である。
【００８０】
請求項３に記載の発明は、請求項２に記載の時計において、前記指針が取り付けられる前記指針軸の前記端部は、その外径が小さい細い形状に形成され、前記指針の前記取付孔は、その内径が前記指針軸の前記端部の外径とほぼ同じ大きさで形成されていることを特徴とする時計である。
【００８１】
請求項４に記載の発明は、請求項１〜請求項３のいずれかに記載の時計において、前記保持部材は、前記指針軸に前記指針を取り付ける際に前記所定の隙間の範囲内において撓み変形が可能な状態で形成されていることを特徴とする時計である。
【００８２】
請求項５に記載の発明は、請求項１〜請求項４のいずれかに記載の時計において、前記アンテナと前記保持部材との間に緩衝部材が配置されていることを特徴とする時計である。
【００８３】
請求項６に記載の発明は、請求項１〜請求項５のいずれかに記載の時計において、複数の指針軸を備え、前記複数の指針軸のうち、いずれかの指針軸は、前記アンテナの上方に配置される副表示部の指針軸であり、前記副表示部の前記指針軸に取り付けられる前記指針は、前記副表示部の小針であることを特徴とする時計である。
【符号の説明】
【００８４】
１  腕時計ケース
７  時計モジュール
８  文字板
８ａ〜８ｃ  円形穴
１１  時計ムーブメント
１２  アンテナ
１３  回路基板
１６  貫通孔
１７  指針軸
１８  指針
２０〜２２  第１〜第３の副表示部
２０ａ、２１ａ  第１、第２の貫通孔
２３  第１小針
２３ａ  針本体
２３ｂ  取付片
２３ｃ  取付孔
２４ａ、２４ｂ  第２小針
２５    第３小針
２６〜２８  第１〜第３の指針軸
３０  保持部材
３１  地板
３１ａ  軸受け孔
３２  輪列受け
３５  緩衝部材
Ｒ  外径
Ｓ  隙間
【図１】
2018132352.tif 000003
【図２】
2018132352.tif 000004
【図３】
2018132352.tif 000005
【図４】
2018132352.tif 000006
【手続補正書】
【提出日】平成29年12月25日(2017.12.25)
【手続補正１】
【補正対象書類名】明細書
【補正対象項目名】０００７
【補正方法】変更
【補正の内容】
【０００７】
この発明は、アンテナと、前記アンテナの上方に所定の隙間をもって配置された保持部材と、前記アンテナの上方に対応して配置され、前記保持部材に回転可能に保持された指針軸と、前記指針軸に取り付けられた指針と、を備えることを特徴とする時計である。
【手続補正２】
【補正対象書類名】特許請求の範囲
【補正対象項目名】全文
【補正方法】変更
【補正の内容】
【特許請求の範囲】
【請求項１】
アンテナと、
前記アンテナの上方に所定の隙間をもって配置された保持部材と、
前記アンテナの上方に対応して配置され、前記保持部材に回転可能に保持された指針軸と、
前記指針軸に取り付けられた指針と、
を備えることを特徴とする時計。
【請求項２】
請求項１に記載の時計において、前記指針軸に前記指針を取り付ける際の取付力は、前記保持部材が前記所定の隙間の範囲内で撓み変形する最大の変形力と同じか、それよりも小さく設定されていることを特徴とする時計。
【請求項３】
請求項１又は請求項２のいずれかに記載の時計において、前記保持部材は、前記指針軸に前記指針を取り付ける際に前記所定の隙間の範囲内で撓み変形することを特徴とする時計。
【請求項４】
請求項１〜請求項３のいずれかに記載の時計において、前記アンテナと前記保持部材との間に緩衝部材が配置されていることを特徴とする時計。
【請求項５】
請求項１〜請求項４のいずれかに記載の時計において、複数の指針軸を備え、前記複数の指針軸のうち、いずれかの指針軸は、前記アンテナの上方に配置される副表示部の指針軸であり、前記副表示部の前記指針軸に取り付けられる前記指針は、前記副表示部の小針であることを特徴とする時計。